(57)【要約】【課題】導光板を用いずに、前方から光源光を高い均一性をもって照射することができる表示装置および照明装置を提供すること。【解決手段】表示装置１は、一方面１０ｓに表示領域１０ａを備えた表示部材１０と、表示部材１０の表示領域１０ａに照明光を照射する照明装置２０とを有している。照明装置２０は、表示領域１０ａの側方に設けられた第１遮光面３１と、第１遮光面３１と対向する第２遮光面４１とを有している。また、照明装置２０は、第１遮光面３１と第２遮光面４１との間から表示領域１０ａとは反対側に向けて光源光Ｌを出射する光源５０と、光源５０から出射された光源光Ｌを第１遮光面３１と第２遮光面４１との間を通って表示領域１０ａの側に向けて反射する第１反射面６１とを有している。【選択図】図４
2017152227.tif 000002
【特許請求の範囲】
【請求項１】
一方面に表示領域を備えた表示部材と、
前記表示領域に光を照射する照明装置と、を有し、
前記照明装置は、
前記表示領域の側方に配置された第１遮光面と、
前記第１遮光面と対向配置された第２遮光面と、
前記第１遮光面と前記第２遮光面との間に配置され、前記表示領域とは反対側に向けて
光源光を出射する光源と、
前記光源から出射された前記光源光を前記表示領域の側に向けて反射する第１反射面と
、
を有し、
前記第２遮光面は、前記第１反射面で反射された前記光源光が、前記第１遮光面と前記
第２遮光面との間を通って前記表示領域に照射するように、前記表示部材の前記一方面側
に配置されていることを特徴とする表示装置。
【請求項２】
請求項１に記載の表示装置において、
前記光源は、前記光源光の光軸が前記表示部材の前記一方面と平行な方向に対して先端
側が前記第２遮光面に接近するように傾斜して配置され、
前記第１反射面は、前記表示部材の前記一方面に対して垂直な姿勢から、前記第１反射
面の前記第２遮光面側の端部が前記表示領域の側に向かうように傾斜して配置されている
ことを特徴とする表示装置。
【請求項３】
請求項２に記載の表示装置において、
前記第１遮光面は、前記表示部材の前記一方面と平行な方向に対して前記表示領域とは
反対側の端部が前記第２遮光面に接近するように傾斜して配置され、
前記第２遮光面は、前記表示部材の前記一方面と平行な方向に対して前記表示領域とは
反対側の端部が前記第１遮光面から離間するように傾斜して配置されていることを特徴と
する表示装置。
【請求項４】
請求項３に記載の表示装置において、
前記第１遮光面、前記第２遮光面および前記光源の出射光軸は、互いに平行となるよう
に配置され、
前記第１反射面は、前記第１遮光面、前記第２遮光面および前記光源の出射光軸に対し
て直交するように配置されていることを特徴とする表示装置。
【請求項５】
請求項１乃至４の何れか一項に記載の表示装置において、
前記第１反射面は、前記光源光の光軸と前記表示部材の前記一方面の法線とを含む平面
で切断したときに、前記表示領域から離間する方に凹んだ凹曲面になっていることを特徴
とする表示装置。
【請求項６】
請求項３に記載の表示装置において、
前記第１反射面は、前記光源光の光軸と前記表示部材の前記一方面の法線とを含む平面
の法線方向に軸線方向が延在するシリンドリカルな凹曲面であることを特徴とする表示装
置。
【請求項７】
請求項１乃至６の何れか一項に記載の表示装置において、
前記第２遮光面は光反射性を備えていることを特徴とする表示装置。
【請求項８】
請求項７に記載の表示装置において、
前記第２遮光面は、傾きが異なる２つの面が交互に配置されたプリズム形状を有してい
ることを特徴とする表示装置。
【請求項９】
請求項１乃至８の何れか一項に記載の表示装置において、
前記表示領域の外縁に沿って延在し、前記表示部材と重なるように配置された枠状部材
を有し、
前記枠状部材の前記表示部材側の面のうち、前記第１遮光面と対向する領域に前記第２
遮光面が設けられていることを特徴とする表示装置。
【請求項１０】
請求項１乃至８の何れか一項に記載の表示装置において、
前記表示領域の外縁に沿って延在し、前記表示部材と重なるように配置された枠状部材
を有し、
前記枠状部材の前記表示部材側の面のうち、前記第１遮光面および前記第２遮光面が配
置されている側とは反対側の領域に、傾きが異なる２つの面が交互に配置されたプリズム
形状の部分を有していることを特徴とする表示装置。
【請求項１１】
請求項１乃至１０の何れか一項に記載の表示装置において、
前記第１遮光面は、光吸収性であることを特徴とする表示装置。
【請求項１２】
請求項１乃至１１の何れか一項に記載の表示装置において、
前記表示部材の前記一方面に対して直交する方向からみた平面視において、前記光源は
、第１発光素子と、前記第１発光素子の出射光軸と交差する方向に出射光軸を向けた第２
発光素子と、を含んでいることを特徴とする表示装置。
【請求項１３】
請求項１２に記載の表示装置において、
前記平面視において、前記第１発光素子と前記第２発光素子は、各々の出射光軸を互い
に離間する方向に向けて配置されていることを特徴とする表示装置。
【請求項１４】
請求項１乃至１３の何れか一項に記載の表示装置において、
前記表示領域の周りには、前記表示領域の面外方向に向いた第２反射面が設けられてい
ることを特徴とする表示装置。
【請求項１５】
請求項１乃至１４の何れか一項に記載の表示装置において、
前記表示領域の周りには、前記表示領域が位置する内側に向いた第３反射面が設けられ
ていることを特徴とする表示装置。
【請求項１６】
請求項１乃至１５の何れか一項に記載の表示装置において、
前記表示部材は、電気光学装置であることを特徴とする表示装置。
【請求項１７】
被照明領域の側方に配置された第１遮光面と、
前記第１遮光面と対向配置された第２遮光面と、
前記第１遮光面と前記第２遮光面の間に配置され、前記被照明領域とは反対側に向けて
光源光を出射する発光素子と、
前記発光素子から出射された前記光源光を前記被照明領域の側に向けて反射する第１反
射面と、を有し、
前記第２遮光面は、前記第１反射面で反射された前記光源光が、前記第１遮光面と前記
第２遮光面との間を通って前記被照明領域に照射するように配置されていることを特徴と
する照明装置。
【発明の詳細な説明】
【技術分野】
【０００１】
本発明は、表示領域に対して表示光の出射側から光源光を照射する表示装置、および照
明装置に関するものである。
【背景技術】
【０００２】
反射型の表示パネルを備えた表示装置では、いわゆるフロントライトと称せられる照明
装置が用いられる。かかる照明装置では、一般的に、表示パネルの前面に導光板が重ねら
れており、導光板の端部から入射した光源光は、導光板の厚さ方向で対向する２つの面の
間で反射を繰り返しながら導光板内を進行し、表示パネルに向けて照明光として出射され
る（特許文献１参照）。また、表示パネルの前面に環状の導光板を重ね、導光板の端部か
ら入射した光源光が、導光板に形成したプリズムでの反射によって周方向に進行しながら
径方向内側に照明光として出射される照明装置も提案されている（特許文献２参照）。
【先行技術文献】
【特許文献】
【０００３】
【特許文献１】特開２００６−１０８０２９号公報
【特許文献２】特開２００３−１３２７２４号公報
【発明の概要】
【発明が解決しようとする課題】
【０００４】
特許文献１に記載の照明装置では、導光板を介して表示をみることになるため、表示の
コントラストが低下する。また、特許文献１に記載の照明装置のように、照明の均一性を
高めることを目的に、導光板の一方面にテーパー面を備えた複数の凸部を設けると、テー
パー面での反射光が観察者の眼に入ることにより、画像の視認性が低下するという問題点
がある。一方、特許文献２に記載の照明装置では、被照明領域のサイズや形状が異なるた
びに導光板を設計し直す必要があるという問題点がある。
【０００５】
以上の問題点に鑑みて、本発明の課題は、導光板を用いずに、前方から被照明領域に照
明光を高い均一性をもって照射することができる表示装置および照明装置を提供すること
にある。
【課題を解決するための手段】
【０００６】
上記課題を解決するために、本発明に係る表示装置の一態様は、一方面に表示領域を備
えた表示部材と、前記表示領域に光を照射する照明装置と、を有し、前記照明装置は、前
記表示領域の側方に配置された第１遮光面と、前記第１遮光面と対向配置された第２遮光
面と、前記第１遮光面と前記第２遮光面との間に配置され、前記表示領域とは反対側に向
けて光源光を出射する光源と、前記光源から出射された前記光源光を前記表示領域の側に
向けて反射する第１反射面と、を有し、前記第２遮光面は、前記第１反射面で反射された
前記光源光が、前記第１遮光面と前記第２遮光面との間を通って前記表示領域に照射する
ように、前記表示部材の前記一方面側に配置されていることを特徴とする。
【０００７】
本発明において、光源が第１遮光面と第２遮光面との間から表示領域（被照明領域）と
は反対側に向けて光源光を出射すると、光源光は、第１反射面で第１遮光面と第２遮光面
との間に向けて反射され、表示領域に向かう。その際、表示領域のうち、光源に近い領域
に直接、照射されようとする光は、第１遮光面で遮られる。このため、表示領域のうち、
光源に近い位置に照射される光強度を低く抑えることができる。従って、表示領域に照射
される光強度分布の均一性を高めることができる。また、光源の付近で表示領域と反対側
（表示光の出射側）に向けて進行する光は、第２遮光面で遮られるため、表示光の出射側
に漏れて出ることを抑制することができる。従って、品位の高い画像を表示することがで
きる。
【０００８】
本発明の別の態様において、前記光源は、前記光源光の光軸が前記表示部材の前記一方
面と平行な方向に対して先端側が前記第２遮光面に接近するように傾斜して配置され、前
記第１反射面は、前記表示部材の前記一方面に対して垂直な姿勢から、前記第１反射面の
前記第２遮光面側の端部が前記表示領域の側に向かうように傾斜して配置されていること
が好ましい。かかる態様によれば、第１反射面で反射した光源光を第１遮光面と第２遮光
面との間を通って表示領域が位置する側に効率よく向かわせることができる。
【０００９】
本発明において、前記第１遮光面は、前記表示部材の前記一方面と平行な方向に対して
前記表示領域とは反対側の端部が前記第２遮光面に接近するように傾斜して配置され、前
記第２遮光面は、前記表示部材の前記一方面と平行な方向に対して前記表示領域とは反対
側の端部が前記第１遮光面から離間するように傾斜して配置されていることが好ましい。
かかる態様によれば、第１反射面で反射した光源光を第１遮光面と第２遮光面との間を通
って表示領域が位置する側に効率よく向かわせることができる。
【００１０】
本発明の別の態様において、前記第１遮光面、前記第２遮光面および前記光源の出射光
軸は、互いに平行となるように配置され、前記第１反射面は、前記第１遮光面、前記第２
遮光面および前記光源の出射光軸に対して直交するように配置されていることが好ましい
。かかる態様によれば、第１反射面で反射した光源光を第１遮光面と第２遮光面との間を
通って表示領域が位置する側に効率よく向かわせることができる。
【００１１】
本発明の別の態様において、前記第１反射面は、前記光源光の光軸と前記表示部材の前
記一方面の法線とを含む平面で切断したときに、前記表示領域から離間する方に凹んだ凹
曲面になっていることが好ましい。かかる態様によれば、第１反射面で反射した光源光を
第１遮光面と第２遮光面との間を通って表示領域が位置する側に効率よく向かわせること
ができる。
【００１２】
本発明の別の態様において、前記第１反射面は、前記光源光の光軸と前記表示部材の前
記一方面の法線とを含む平面の法線方向に軸線方向が延在するシリンドリカルな凹曲面で
ある態様を採用することができる。かかる態様によれば、第１反射面で反射した光源光を
第１遮光面と第２遮光面との間を通って表示領域の広い範囲にわたって効率よく向かわせ
ることができる。
【００１３】
本発明の別の態様において、前記第２遮光面は光反射性を備えていることが好ましい。
かかる構成によれば、第２遮光面に向かう光源光を表示領域に効率よく向かわせることが
できる。
【００１４】
本発明の別の態様において、前記第２遮光面は、傾きが異なる２つの面が交互に配置さ
れたプリズム形状を有している態様を採用することができる。かかる構成によれば、第２
遮光面が平面的に構成されている場合と比較して、表示光の出射方向におけるスペースが
狭い場合でも、第２遮光面に向かう光源光を表示領域に効率よく向かわせることができる
。
【００１５】
本発明の別の態様において、前記表示領域の外縁に沿って延在し、前記表示部材と重な
るように配置された枠状部材を有し、前記枠状部材の前記表示部材側の面のうち、前記第
１遮光面と対向する領域に前記第２遮光面が設けられている態様を採用することができる
。かかる構成によれば、飾り枠等として機能する枠状部材に第２遮光面が構成されている
ので、第２遮光面を備えた遮光部材を別途、設ける必要がない。
【００１６】
本発明の別の態様において、前記表示領域の外縁に沿って延在し、前記表示部材と重な
るように配置された枠状部材を有し、前記枠状部材の前記表示部材側の面のうち、前記第
１遮光面および前記第２遮光面が配置されている側とは反対側の領域に、傾きが異なる２
つの面が交互に配置されたプリズム形状の部分を有していることが好ましい。かかる構成
によれば、枠状部材の第１遮光面および第２遮光面が配置されている側とは反対側に到達
した光源光を表示領域に効率よく向かわせることができる。
【００１７】
本発明の別の態様において、前記第１遮光面は、光吸収性であることが好ましい。かか
る構成によれば、第１反射面で反射した光源光が第１遮光面で反射して、表示領域のうち
、光源に近い位置に照射されることを抑制することができる。また、第１遮光面に向かう
光が第１遮光面で反射して表示光の出射側に漏れて出ることを抑制することができる
【００１８】
本発明の別の態様において、前記表示部材の前記一方面に対して直交する方向からみた
平面視において、前記光源は、第１発光素子と、前記第１発光素子の出射光軸と交差する
方向に出射光軸を向けた第２発光素子と、を含んでいることが好ましい。かかる構成によ
れば、表示領域が広い場合でも、少ない発光素子で、表示領域に照射される光強度分布の
均一性を高めることができる。
【００１９】
本発明の別の態様において、前記平面視において、前記第１発光素子と前記第２発光素
子は、各々の出射光軸を互いに離間する方向に向けて配置されていることが好ましい。か
かる構成によれば、表示領域が広い場合でも、少ない発光素子で、表示領域に照射される
光強度分布の均一性を高めることができる。また、第１発光素子から出射された光源光と
、第２発光素子から出射された光源光とが、表示領域で交差しにくいので、表示領域に照
射される光強度分布の均一性を高めることができる。
【００２０】
本発明の別の態様において、前記表示領域の周りには、前記表示領域の面外方向に向い
た第２反射面が設けられていることが好ましい。かかる構成によれば、表示領域の外側に
向かう光源光を第２反射面で反射して、表示領域に向かう光として利用することができる
。
【００２１】
本発明の別の態様において、前記表示領域の周りには、前記表示領域が位置する内側に
向いた第３反射面が設けられていることが好ましい。かかる構成によれば、表示領域を通
り抜けた光源光を第３反射面で反射して、表示領域に向かう光として利用することができ
る。
【００２２】
本発明の別の態様において、前記表示部材は、電気光学装置である態様を採用すること
ができる。
【００２３】
本発明を適用した照明装置の一態様は、被照明領域の側方に配置された第１遮光面と、
前記第１遮光面と対向配置された第２遮光面と、前記第１遮光面と前記第２遮光面の間に
配置され、前記被照明領域とは反対側に向けて光源光を出射する発光素子と、前記発光素
子から出射された前記光源光を前記被照明領域の側に向けて反射する第１反射面と、を有
し、前記第２遮光面は、前記第１反射面で反射された前記光源光が、前記第１遮光面と前
記第２遮光面との間を通って前記被照明領域に照射するように配置されていることを特徴
とする。
【００２４】
かかる照明装置において、光源が第１遮光面と第２遮光面との間から被照明領域とは反
対側に向けて光源光を出射すると、光源光は、第１反射面で第１遮光面と第２遮光面との
間に向けて反射され、被照明領域に向かう。その際、被照明領域のうち、光源に近い領域
に直接、照射されようとする光は、第１遮光面で遮られる。このため、被照明領域のうち
、光源に近い位置に照射される光強度を低く抑えることができる。従って、被照明領域に
照射される光強度分布の均一性を高めることができる。また、光源の付近で被照明領域と
は反対側に向けて進行する光は、第２遮光面で遮られるため、光源光が漏れて出ることを
抑制することができる。
【図面の簡単な説明】
【００２５】
【図１】本発明を適用した照明装置および表示装置の一態様を示す斜視図である。
【図２】図１に示す照明装置および表示装置の平面図である。
【図３】図１に示す照明装置および表示装置の断面図である。
【図４】図１に示す照明装置および表示装置の光源付近を拡大して示す断面図である。
【図５】図１に示す照明装置および表示装置の枠状部材の説明図である。
【図６】本発明の第１構成例に係る照明装置および表示装置１における光線追跡結果を示す説明図である。
【図７】本発明の第２構成例に係る照明装置および表示装置１における光線追跡結果を示す説明図である。
【図８】本発明の第３構成例に係る照明装置および表示装置１における光線追跡結果を示す説明図である。
【図９】本発明の第４構成例に係る照明装置および表示装置１における光線追跡結果を示す説明図である。
【図１０】本発明の比較例に係る照明装置および表示装置の光線追跡結果を示す説明図である。
【図１１】本発明を適用した表示装置を備えた携帯用電子機器の一態様を示す説明図である。
【発明を実施するための形態】
【００２６】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。
【００２７】
（全体構成）
図１は、本発明を適用した照明装置および表示装置の一態様を示す斜視図である。図２
は、図１に示す照明装置および表示装置の平面図である。図３は、図１に示す照明装置お
よび表示装置の断面図である。図４は、図１に示す照明装置および表示装置の光源付近を
拡大して示す断面図である。なお、図２では、枠状部材８０および透光性基板９０の図示
を省略してある。また、以下の説明において、平面視とは、表示領域１０ａに対して直交
する方向からみた様子を意味する。
【００２８】
図１、図２、図３および図４に示す表示装置１は、一方面１０ｓ側に表示領域１０ａを
備えた表示部材１０と、表示部材１０の前側（一方面１０ｓ側）から表示領域１０ａに光
源光Ｌを照射する照明装置２０とを有している。表示装置１では、表示部材１０に対して
表示光Ｌｐの出射側に、表示領域１０ａの外縁に沿って延在する枠状部材８０が表示部材
１０に重ねて配置され、枠状部材８０に対して、表示光Ｌｐの出射側に透光性基板９０が
重ねて配置されている。枠状部材８０は、いわゆる飾り枠であり、透光性基板９０は、風
防ガラスである。
【００２９】
表示部材１０は、電気泳動パネル、反射型液晶パネル等の反射型の表示パネルである。
かかる表示部材１０は、第１基板１１と、第１基板１１と対向配置された透光性の第２基
板１２と、第１基板１１と第２基板１２との間に設けられた表示層１３と、第１基板１１
と第２基板１２との間において表示層１３の周りを封止する封止層１４とを有している。
第１基板１１において第２基板１２と対向する面１１ｂ、および第２基板１２において第
１基板１１と対向する面１２ａには、表示層１３を駆動する電極（図示せず）が形成され
ている。
【００３０】
表示部材１０では、第２基板１２の側から入射した光源光Ｌが表示層１３や第１基板１
１の側で反射して第２基板１２の側から出射される間に表示層１３によって光変調され、
画像を表示する。従って、表示部材１０の一方面１０ｓは、第２基板１２の第１基板１１
とは反対側の面からなる。本形態において、表示部材１０は、明るい環境下では、照明装
置２０の光源５０を消灯して外光による表示を行い、暗い環境下では光源５０を点灯させ
て光源５０から出射された光源光Ｌを利用して表示を行う。
【００３１】
表示部材１０は、円形であり、周方向の所定個所にフレキシブル配線基板（図示せず）
が接続される。表示部材１０は、封止層１４で囲まれた領域の中央に、画像を表示する円
形の表示領域１０ａを有している。
【００３２】
（照明装置２０の構成）
照明装置２０は、表示領域１０ａを被照明領域としており、表示領域１０ａ（被照明領
域）の側方に設けられた第１遮光面３１と、第１遮光面３１に対して表示光Ｌｐの出射側
で対向する第２遮光面４１とを有している。また、照明装置２０は、第１遮光面３１と第
２遮光面４１との間に、表示領域１０ａとは反対側（外側）に光源光Ｌを出射する光源５
０を有しているとともに、光源５０から出射された光源光Ｌを第１遮光面３１と第２遮光
面４１との間を通って表示領域１０ａの側に向けて反射する第１反射面６１を有している
。光源５０は、第１遮光面３１と第２遮光面４１との間で配線基板４５に実装された状態
にある。
【００３３】
第１遮光面３１は、表示領域１０ａの側方に設けられた第１遮光板３０の表示光Ｌｐの
出射側に向く面であり、表示部材１０に対して表示領域１０ａの外側領域と重なっている
。第１遮光板３０は、黒色の板や、板に黒色の塗膜や黒色シートが形成された板からなり
、第１遮光面３１は光吸収性を有している。第２遮光面４１は、第１遮光面３１に対して
表示光Ｌｐの出射側で対向する第２遮光板４０の第１遮光面３１側の面である。本形態に
おいて、第２遮光面４１は光反射性を有している。また、第２遮光面４１は、図４に拡大
して示すように、傾きが異なる２つの面４１ａ、４１ｂが交互に配置されたプリズム形状
を有している。かかる構成の第２遮光面４１によれば、面４１ａ、４１ｂのうち、面４１
ａに光源光Ｌが斜め方向から到達した際、光源５０等が配置されている側とは反対側に向
けて光源光Ｌを反射しつつ、光源光Ｌを表示領域１０ａの側に反射する。
【００３４】
光源５０は、発光ダイオード等からなる１乃至複数の発光素子を含んでおり、白色光を
出射する。発光素子は白色光以外の色の光や複数の色の光を発する素子でもよい。本形態
において、光源５０は、２つの発光素子（第１発光素子５１および第２発光素子５２）を
含んでいる。ここで、第１発光素子５１の出射光軸Ｌ５１と第２発光素子５２とは、平面
視で交差する方向に延在している。本形態において、第１発光素子５１と第２発光素子５
２は、平面視で各々の出射光軸Ｌ５１、Ｌ５２を互いに離間する方向に向けて配置されて
いる。なお、本形態においては、光源５０は配線基板４５に実装された状態にあるが、第
１遮光板３０が配線基板４５を兼ねた構成にしてもよい。
【００３５】
第１反射面６１は、板状のミラー部材６０の表示領域１０ａ側の面である。本形態にお
いて、第１発光素子５１と第２発光素子５２は、各々の出射光軸Ｌ５１、Ｌ５２を互いに
離間する方向に向けて配置されており、第１発光素子５１から出射された光源光Ｌ、およ
び第２発光素子５２から出射された光源光Ｌは各々、第１遮光面３１と第２遮光面４１と
の間を通って表示領域１０ａの側に放射状に反射する。
【００３６】
本形態において、光源５０の出射光軸Ｌ５０（第１発光素子５１の出射光軸Ｌ５１、お
よび第２発光素子５２の出射光軸Ｌ５２）は、表示部材１０の一方面１０ｓと平行な方向
に対して先端側が第２遮光面４１に接近するように斜めに傾斜して配置されている。また
、第１反射面６１は、表示領域１０ａ（一方面１０ｓ）に対して垂直な姿勢から、第２遮
光面４１側の端部が表示領域１０ａの側（第１遮光面３１の側）に向かうように斜めに傾
斜した姿勢になっている。第１遮光面３１は、表示部材１０の一方面１０ｓと平行な方向
に対して表示領域１０ａとは反対側の端部３１ｅが第２遮光面４１に接近するように斜め
に傾斜するように配置されている。第２遮光面４１は、表示部材１０の一方面１０ｓと平
行な方向に対して表示領域１０ａとは反対側の端部４１ｅが第１遮光面３１から離間する
ように斜めに傾斜して配置されている。
【００３７】
ここで、光源５０の出射光軸Ｌ５０、第１反射面６１、第１遮光面３１および第２遮光
面４１の各々の上記の傾きはいずれもθａであり、等しい。このため、表示光Ｌｐの出射
方向、および光源５０からの光源光Ｌの出射方向の双方に対して直交する側方からみたと
き、第１遮光面３１、第２遮光面４１および光源５０の出射光軸Ｌ５０は、平行であり、
第１反射面６１は、第１遮光面３１、第２遮光面４１および光源５０の出射光軸Ｌ５０に
対して直交する姿勢に配置されている。
【００３８】
本形態において、第１反射面６１は、第１遮光面３１と第２遮光面４１とが対向する方
向と、表示部材１０に対して第１遮光面３１が位置する方向とによって規定される面で切
断したときに表示領域１０ａとは反対側に凹んだ凹曲面になっている。すなわち、第１反
射面６１は、光源光Ｌの光軸と表示部材１０の一方面１０ｓの法線とを含む平面で切断し
たときに、表示領域１０ａから離間する方に凹んだ凹曲面になっている。また、第１反射
面６１は、第１遮光面３１と第２遮光面４１とが対向する方向、および表示領域１０ａに
対して第１遮光面３１が位置する方向の双方に対して交差する方向に軸線方向が延在する
シリンドリカルな凹曲面である。すなわち、第１反射面６１は、光源光Ｌの光軸と表示部
材１０の一方面１０ｓの法線とを含む平面の法線方向に軸線方向が延在するシリンドリカ
ルな凹曲面である。
【００３９】
本形態において、上記の角度θａは、図３に示すようにパラメーターａ、ｄ、ｈを設定
したとき、パラメーターａ、ｄ、ｈが以下の条件式を満たすように設定されている。例え
ば、θａは２．５°±２°である。
ｔａｎ−１（ｈ／（ｄ＋（ａ／２）））＜θａ＜ｔａｎ−１（ｈ／（ｄ−（ａ／２））
）
ａ＝表示領域１０ａの大きさ
ｄ＝表示領域１０ａの中心と第１反射面６１との距離
ｈ＝表示領域１０ａを基準としたときの第１反射面６１の中心の高さ
上記の条件式を満たせば、光源５０から出射された光源光Ｌが、表示領域１０ａのうち
、最も光源５０側の位置、および光源５０から最も離間した位置に到達することになるの
で、表示領域１０ａの全体に到達することになる。
【００４０】
（第２反射面１８および第３反射面７１の構成）
表示部材１０の表示領域１０ａの周りには表示領域１０ａの面外方向（表示光Ｌｐの出
射方向）に向いた第２反射面１８が設けられている。かかる第２反射面１８は、表示部材
１０の第２基板１２の第１基板１１とは反対側の面１２ｂに対して、表示領域１０ａの周
りに設けられた反射性の塗膜や反射性のシートからなる。
【００４１】
また、表示領域１０ａの周りには、表示領域１０ａが位置する内側に向いた第３反射面
７１が設けられている。本形態において、第３反射面７１は、表示部材１０の外縁と枠状
部材８０との間で、表示部材１０の外縁に沿って延在する反射シート７０の表示領域１０
ａ側に位置する面からなる。本形態において、第３反射面７１（反射シート７０）は、第
１遮光板３０と第２遮光板４０との間のうち、周方向の両側に位置する部分にも設けられ
ている。
【００４２】
（枠状部材８０の詳細構成）
図５は、図１に示す照明装置および表示装置の枠状部材８０の説明図であり、図８には
、枠状部材８０を表示光Ｌｐの出射側からみた斜視図とともに、枠状部材８０を表裏反転
させたときの斜視図、および枠状部材８０のプリズム形状を拡大した様子を示してある。
【００４３】
図３および図５に示すように、枠状部材８０（飾り枠）は、表示部材１０側の下底８１
が表示部材１０とは反対側の上底８２より長い台形の断面形状を有している。また、枠状
部材８０の断面において、台形の脚のうち、外側の脚８３は、下底８１および上底８２に
垂直であり、内側の脚８４は、下底８１および上底８２に対して斜めになっている。
【００４４】
このように構成した枠状部材８０においては、図５に示すように、表示部材１０側の面
８５のうち、図３および図４等を参照して説明した光源５０、第１遮光面３１および第２
遮光面４１が配置されている側とは反対側の領域８５０は、傾きが異なる２つの面８５ａ
、８５ｂが交互に配置されたプリズム形状の部分を有している。かかる構成の枠状部材８
０によれば、面８５ａ、８５ｂのうち、面８５ａに光源光Ｌが到達した際、光源５０等が
配置されている側とは反対側に向けて光源光Ｌを反射しつつ、光源光Ｌを表示領域１０ａ
の側に斜めに反射する。
【００４５】
（本形態の作用および主な効果）
本形態の照明装置２０および表示装置１において、第１遮光面３１と第２遮光面との間
から光源５０が表示領域１０ａ（被照明領域）とは反対側に配置された第１反射面６１に
向けて光源光Ｌを出射すると、光源光Ｌは、第１反射面６１で反射して第１遮光面３１と
第２遮光面４１との間を通って表示領域１０ａが位置する側に向かう。その際、第１反射
面６１で反射して、表示領域１０ａのうち、光源５０に近い領域に直接、照射されようと
する光は、第１遮光面３１で遮られる。このため、表示領域１０ａのうち、光源５０や第
１反射面６１に近い位置に照射される光強度を低く抑えることができる。特に本形態にお
いて、第１遮光面３１は光吸収性を備えているため、第１反射面６１で反射した光が第１
遮光面３１で反射して、表示領域１０ａのうち、光源５０の近傍に照射されることを抑制
することができる。従って、表示領域１０ａに照射される光強度分布の均一性を高めるこ
とができる。また、第１遮光面３１に向かう光が第１遮光面３１で反射して表示光Ｌｐの
出射側に漏れて出ることを抑制することができる。また、第１反射面６１で反射して、光
源５０等の付近で表示領域１０ａと反対側に進行する光は、第２遮光面４１で遮られるた
め、直接、出射されることがない。従って、品位の高い画像を表示することができる。
【００４６】
また、第２遮光面４１は光反射性を備えているため、第２遮光面４１に向かう光源光Ｌ
を光源５０から離間する方向に導きながら、表示領域１０ａに効率よく向かわせることが
できる。しかも、第２遮光面４１はプリズム形状を有しているため、第２遮光面４１が平
面的に構成されている場合と比較して、表示光Ｌｐの出射方向におけるスペースが狭い場
合でも、第２遮光面４１に向かう光源光Ｌを表示領域１０ａに効率よく向かわせることが
できる。
【００４７】
また、光源５０の出射光軸Ｌ５０は、表示領域１０ａと平行な方向に対して先端側が第
２遮光面４１に接近するように斜めに傾き、第１反射面６１は、表示領域１０ａに対して
垂直な姿勢から第１遮光面３１の側に斜めに傾いた姿勢になっている。また、第１遮光面
３１および第２遮光面４１は、表示領域１０ａと平行な方向に対して表示領域１０ａとは
反対側の端部が表示領域１０ａから離間するように斜めに傾いている。しかも、第１遮光
面３１、第２遮光面４１および光源５０の出射光軸Ｌ５０は、平行であり、第１反射面６
１は、第１遮光面３１、第２遮光面４１および光源５０の出射光軸Ｌ５０に対して直交す
る姿勢に配置されている。それ故、第１反射面６１は、光源光Ｌを第１遮光面３１と第２
遮光面４１との間を通って表示領域１０ａの側に効率よく反射することができる。また、
第１反射面６１で反射した光源光Ｌが、表示領域１０ａのうち、光源５０や第１反射面６
１に近い位置に直接、照射されるという事態が発生しにくいので、表示領域１０ａに照射
される光強度分布の均一性を高めることができる。
【００４８】
また、第１反射面６１は、第１遮光面３１と第２遮光面４１とが対向する方向と、表示
部材１０に対して第１遮光面３１が位置する方向とによって規定される面で切断したとき
に表示領域１０ａとは反対側に凹んだ凹曲面になっている。このため、第１反射面６１で
反射した光源光Ｌを第１遮光面３１と第２遮光面４１との間を通って表示領域１０ａが位
置する側に効率よく向かわせることができる。しかも、第１反射面６１は、第１遮光面３
１と第２遮光面４１とが対向する方向、および表示領域１０ａに対して第１遮光面３１が
位置する方向の双方に対して交差する方向に軸線方向が延在するシリンドリカルな凹曲面
である。このため、光源光Ｌを表示領域１０ａの広い範囲にわたって効率よく向かわせる
ことができる。
【００４９】
また、光源５０において、第１発光素子５１と第２発光素子５２とは、平面視で各々の
出射光軸Ｌ５１、Ｌ５２が交差するように配置されている。特に本形態では、第１発光素
子５１と第２発光素子５２は、平面視で各々の出射光軸Ｌ５１、Ｌ５２を互いに離間する
方向に向けて配置されている。このため、表示領域１０ａが広い場合でも、少ない発光素
子で、表示領域１０ａ全体に光源光Ｌを照射することができる。
【００５０】
ここで、光源５０から離間する側では、表示領域１０ａに照射されずに、そのまま進行
する光成分が発生するが、枠状部材８０において、表示部材１０側の面のうち、第１遮光
面３１および第２遮光面４１が配置されている側とは反対側の領域８５０はプリズム形状
を有している。このため、光源５０から離間する側に到達した光源光Ｌを表示領域１０ａ
に向けて反射するので、光源５０から離間する側でも、表示領域１０ａに照射される光源
光Ｌの光強度を高めることができる。また、光源５０から離間する側では、表示領域１０
ａに照射されずに、そのまま外側に抜けようとする光成分が存在するが、本形態では、表
示領域１０ａの周りには、表示領域１０ａが位置する内側に向いた第３反射面７１が設け
られている。このため、表示領域１０ａの外側に向かおうとする光源光Ｌを第３反射面７
１で反射して、表示領域１０ａに向かう光として利用することができる。
【００５１】
また、光源光Ｌの一部は、表示領域１０ａの外側に照射されるが、表示領域１０ａの周
りには、表示領域１０ａの面外方向に向いた第２反射面１８が設けられている。このため
、表示領域１０ａの外側に向かう光源光Ｌを第２反射面１８で反射して、表示領域１０ａ
に向かう光として再び利用することができる。
【００５２】
（各構成例の評価結果）
図６は、本発明の第１構成例に係る照明装置２０および表示装置１における光線追跡結
果を示す説明図であり、図６の上段に光強度分布のシミュレーション結果を示し、下段に
は、光線追跡結果の特徴を模式的に表わす説明図を示してある。図７は、本発明の第２構
成例に係る照明装置２０および表示装置１における光線追跡結果を示す説明図であり、図
７の上段に光強度分布のシミュレーション結果を示し、下段には、光線追跡結果の特徴を
模式的に表わす説明図を示してある。図８は、本発明の第３構成例に係る照明装置２０お
よび表示装置１における光線追跡結果を示す説明図であり、図８の上段に光強度分布のシ
ミュレーション結果を示し、下段には、光線追跡結果の特徴を模式的に表わす説明図を示
してある。図９は、本発明の第４構成例に係る照明装置２０および表示装置１における光
線追跡結果を示す説明図であり、図９の上段に光強度分布のシミュレーション結果を示し
、下段には、光線追跡結果の特徴を模式的に表わす説明図を示してある。図１０は、本発
明の比較例に係る照明装置２０および表示装置１の光線追跡結果を示す説明図であり、図
１０の上段に光強度分布のシミュレーション結果を示し、下段には、光線追跡結果の特徴
を模式的に表わす説明図を示してある。
【００５３】
なお、図６、図７、図８、図９および図１０の下段に示す説明では、照明光の強度が相
対的に最も低い領域２０ｄに右上がりの実線を付し、領域２０ｄより強度が高い領域２０
ｃに右下がりの実線を付し、領域２０ｃより強度が高い領域２０ｂに右上がりの破線を付
し、最も強度が高い２０ａには、斜線等を付さない領域として示してある。
【００５４】
本発明の第１構成例に係る照明装置２０および表示装置１では、図１〜図６を参照して
説明した構成を全て有している。
【００５５】
本発明の第２構成例に係る照明装置２０および表示装置１では、図１〜図６を参照して
説明した各構成のうち、第１反射面６１が平面である。その他の構成は、第１構成例と同
様である。
【００５６】
本発明の第３構成例に係る照明装置２０および表示装置１では、第１反射面６１を傾け
ずに表示領域１０ａに垂直な姿勢としてある。その他の構成は、第１構成例と同様である
。
【００５７】
本発明の第４構成例に係る照明装置２０および表示装置１では、第１遮光面３１および
第２遮光面４１を傾けずに、表示領域１０ａと平行に配置されている。その他の構成は、
第１構成例と同様である。
【００５８】
本発明の比較例に係る照明装置および表示装置では、第１遮光面３１、第２遮光面４１
、および第１反射面６１を設けずに、表示領域１０ａの側方に、表示領域１０ａに出射面
を向けて光源５０が配置されており、光源５０は、光源光を直接、表示領域１０ａの側に
出射する。その他の構成は、第１構成例と同様である。
【００５９】
図１０からわかるように、本発明の比較例に係る照明装置および表示装置では、光源５
０が配置されている付近での光強度が著しく高く、光源５０から離間している領域での光
強度が著しく低い。
【００６０】
これに対して、図６、図７、図８および図９からわかるように、本発明の構成例１、２
、３、４に係る照明装置２０および表示装置１では、図１０に示す結果と比較して、光源
５０が配置されている付近での光強度が抑えられているとともに、光源５０から離間して
いる領域での光強度が高まっている。このため、表示領域１０ａの全体にわたって、光強
度の均一化を図ることができる。
【００６１】
また、図７からわかるように、本発明の構成例２に係る照明装置２０および表示装置１
では、光源５０が配置されている付近での光強度と、光源５０から離間している領域での
光強度との間に比較的大きな差があるが、図６、図８および図９からわかるように、本発
明の構成例１、３、４に係る照明装置２０および表示装置１では、上記の差が圧縮されて
いる。
【００６２】
また、図８および図９からわかるように、本発明の構成例３、４に係る照明装置２０お
よび表示装置１では、表示領域１０ａの中央での光強度が低い傾向にあるが、図６からわ
かるように、本発明の構成例１に係る照明装置２０および表示装置１では、表示領域１０
ａの中央でも光強度が高く、表示領域１０ａの全体にわたって、光強度の均一化が優れて
いる。
【００６３】
［他の実施の形態］
上記実施の形態では、第２遮光面４１を構成するにあたって第２遮光板４０を用いたが
、枠状部材８０の表示部材１０側の面８５のうち、第１遮光面３１と対向する領域に第２
遮光面４１を設けてもよい。かかる構成によれば、第２遮光面４１を備えた第２遮光板４
０（遮光部材）を別途、設ける必要がない。
【００６４】
上記実施の形態では、第１遮光面３１を構成するにあたって第１遮光板３０を用いたが
、配線基板４５の基板面によって第１遮光面３１を構成してもよい。
【００６５】
上記実施の形態では、光源５０を構成する発光素子が２個の場合を例示したが、発光素
子の数は、１個あるいは３個以上であってもよい。上記実施の形態では、表示部材１０が
円形の場合を例示したが、表示部材１０が四角形等の多角形である場合に本発明を適用し
てもよい。
【００６６】
上記実施の形態では、表示部材１０が電気泳動パネル、反射型液晶パネル等の場合を例
示したが、表示部材１０がＭＥＭＳ表示部材、光干渉表示部材、アナログ式時計および計
器類等の機械表示部材である場合に本発明を適用してもよい。
【００６７】
［電子機器の構成例］
図１１は、本発明を適用した表示装置１を備えた携帯用電子機器１００の一態様を示す
説明図である。図１１に示す携帯用電子機器１００は、腕装着型の電子機器であり、本体
部１２０と、バンド部１３０とを備えている。本体部１２０には、時計機能に加えて、衛
星測位システムの一種であるＧＰＳ（ＧｌｏｂａｌＰｏｓｉｔｉｏｎｉｎｇ  Ｓｙｓｔｅ
ｍ）機能等を内蔵している。本体部１２０の中央には、表示部１４０が構成されており、
かかる表示部１４０には、図１および図２等を参照して説明した表示装置１が用いられて
おり、現在の日時や位置情報等が表示される。
【００６８】
なお、本発明を適用した表示装置１は、図１１に示す携帯用電子機器１００の他にも、
携帯電話機、情報携帯端末（ＰＤＡ：Ｐｅｒｓｏｎａｌ  Ｄｉｇｉｔａｌ  Ａｓｓｉｓｔ
ａｎｔｓ）、カメラのファインダー、電子ペーパー等の表示装置として用いてもよい。
【符号の説明】
【００６９】
１…表示装置、１０…表示部材、１０ａ…表示領域、１０ｓ…一方面、１３…表示層、１
８…第２反射面、２０…照明装置、３０…第１遮光板、３１…第１遮光面、４０…第２遮
光板、４１…第２遮光面、４５…配線基板、５０…光源、５１…第１発光素子、５２…第
２発光素子、６０…ミラー部材、６１…第１反射面、７０…反射シート、７１…第３反射
面、８０…枠状部材、９０…透光性基板、１００…携帯用電子機器、Ｌ…光源光、Ｌ５０
、Ｌ５１、Ｌ５２…出射光軸、Ｌｐ…表示光。
【図１】
2017152227.tif 000003
【図２】
2017152227.tif 000004
【図３】
2017152227.tif 000005
【図４】
2017152227.tif 000006
【図５】
2017152227.tif 000007
【図６】
2017152227.tif 000008
【図７】
2017152227.tif 000009
【図８】
2017152227.tif 000010
【図９】
2017152227.tif 000011
【図１０】
2017152227.tif 000012
【図１１】
2017152227.tif 000013